(57)【要約】【要  約】【課  題】    排気用の通風ホースと給気用の通風ホースとを束ねて同じ孔に挿入して外に出して給排気を行っても、室内から排気された汚れた空気がそのまま吸い込まれ室内に戻ってしまうエアーショートの状態を防止する。【解決手段】  空気調和装置は、室内機（１）からの冷媒配管（２）が、建屋の孔（４）を通って屋外に導き出されて、室外機（３）に接続されている。そして、室内機内に配置されるとともに給気機能を具備する第１送風装置（２１）と、室内機内に配置されるとともに排気機能を具備する第２送風装置（２２）と、第１送風装置に接続される第１通風ホース（２３）と、第２送風装置に接続されるとともに、第１通風ホースと束ねられ第１通風ホースとともに建屋の孔に挿入されて先端部が孔から外に延在している第２通風ホース（２４）とを備え、第１通風ホースの端部開口と第２通風ホースの端部開口との距離が７０ｍｍ以上ある。【選択図】  図４
2006207871.tif 000002
【特許請求の範囲】
【請求項１】
室内機からの冷媒配管が、建屋の孔を通って外に導き出されて、室外機に接続されている空気調和装置において、
前記室内機内に配置されるとともに、外気を吸い込んで室内に給気する給気機能を具備する第１送風装置と、
前記室内機内に配置されるとともに、室内の空気を吸い込んで室外に排気する排気機能を具備する第２送風装置と、
前記第１送風装置に接続されるとともに、前記建屋の孔に挿入されて先端部が前記孔から外に延在している第１通風ホースと、
前記第２送風装置に接続されるとともに、第１通風ホースと束ねられ、第１通風ホースとともに建屋の前記孔に挿入されて先端部が前記孔から外に延在している第２通風ホースとを備え、
第１通風ホースの端部開口と第２通風ホースの端部開口との距離が、７０ｍｍ以上あることを特徴とする空気調和装置。
【請求項２】
第１通風ホースの前記建屋の孔から外に延在している長さは、第２通風ホースの前記建屋の孔から外に延在している長さと、７０ｍｍ以上の差があることを特徴とする請求項１記載の空気調和装置。
【請求項３】
前記第１通風ホースおよび第２通風ホースの先端には各々、通風ホース本体の外径よりも大きな外径を有する虫除けカバーが設けられ、
この虫除けカバー同士は、互いに重ならないように配置されていることを特徴とする請求項１または２記載の空気調和装置。
【請求項４】
第１通風ホースの前記建屋の孔から外に延在している長さの方が、第２通風ホースの前記建屋の孔から外に延在している長さよりも短いことを特徴とする請求項１，２または３記載の空気調和装置。
【請求項５】
前記建屋の孔を覆うとともに、下面開口を具備する孔カバーが設けられ、
この孔カバー内には、多数の孔を具備する仕切りが設けられ、
第１通風ホースの先端は、前記仕切りよりも内側に配置され、
第２通風ホースの先端は、前記孔カバーの下面開口から下方に垂れ下がっていることを特徴とする請求項４記載の空気調和装置。
【発明の詳細な説明】
【技術分野】
【０００１】
本発明は、ルームエアコンなどの空気調和装置に関し、特に、その換気に関する。
【背景技術】
【０００２】
従来、空気調和装置は一般的には、換気機能を有しておらず、室内の空気が汚れた際などには適宜、人が窓を開けるなどして、外気を取り入れて換気する必要があった。
【０００３】
そこで、従来より、空気調和装置に換気装置を設けたものが提案されている。たとえば特許文献１に記載されているように、給気ダクトと排気ダクトとを設け、この給気ダクトに給気用送風機を、また、排気ダクトに排気用送風機を設けた空気調和装置がある。
【特許文献１】特開２００１−３０４６４５号公報
【発明の開示】
【発明が解決しようとする課題】
【０００４】
ところで、この従来の特許文献１に記載されている空気調和装置は、事務所ビルなどに設置されるもので、給気ダクトと排気ダクトとは各々、別の建屋の孔に挿入されている。そのため、給気ダクト用の孔と排気ダクト用の孔との２個を設ける必要があり、工数が増大するとともに、見栄えが悪くなる。
【０００５】
また、ルームエアコンなどの空気調和装置では、一本の通風ホースで換気するものが従来提案されている。この場合には、排気または給気の一方のみを行うことができ、同時に排気および給気の両方を行うことができない。そこで、２本の通風ホースを備えて、排気および給気の両方を同時に行うことができる空気調和装置を検討した。しかしながら、この２本の通風ホースを束ねて建屋の同じ孔に挿入して外に出して、排気用の通風ホースの先端と、給気用の通風ホースの先端とを並べて設置すると、排気用の通風ホースにより排気された室内からの汚れた空気が、そのまま、給気用の通風ホースにより吸い込まれ、室内に戻ってしまうエアーショートの状態を引き起こしてしまう。
【０００６】
解決しようとする問題点は、排気用の通風ホースと給気用の通風ホースとを束ねて同じ孔に挿入して外に出して、両通風ホースの先端を並べて設置すると、室内から排気された汚れた空気が、そのまま吸い込まれ、室内に戻ってしまうエアーショートの状態を引き起こしてしまう点である。
【課題を解決するための手段】
【０００７】
本発明の空気調和装置は、室内機（１）からの冷媒配管（２）が、建屋の孔（４）を通って屋外に導き出されて、室外機（３）に接続されている。そして、室内機内に配置されるとともに、外気を吸い込んで室内に給気する給気機能を具備する第１送風装置（２１）と、室内機内に配置されるとともに、室内の空気を吸い込んで室外に排気する排気機能を具備する第２送風装置（２２）と、第１送風装置に接続されるとともに、建屋の孔に挿入されて先端部が前記孔から外に延在している第１通風ホース（２３）と、第２送風装置に接続されるとともに、第１通風ホースと束ねられ、第１通風ホースとともに建屋の前記孔に挿入されて先端部が前記孔から外に延在している第２通風ホース（２４）とを備え、第１通風ホースの端部開口と第２通風ホースの端部開口との距離が７０ｍｍ以上ある。
【０００８】
また、第１通風ホースの前記建屋の孔から外に延在している長さは、第２通風ホースの前記建屋の孔から外に延在している長さと、７０ｍｍ以上の差があることがある。
【０００９】
そして、第１通風ホースおよび第２通風ホースの先端には各々、通風ホース本体の外径よりも大きな外径を有する虫除けカバー（３１，３２）が設けられ、この虫除けカバー同士は、互いに重ならないように配置されていることがある。
【００１０】
さらに、第１通風ホースの前記建屋の孔から外に延在している長さの方が、第２通風ホースの前記建屋の孔から外に延在している長さよりも短いことがある。
【００１１】
また、建屋の孔を覆うとともに下面開口を具備する孔カバー（４１）が設けられ、この孔カバー内には多数の孔を具備する仕切り（４２）が設けられ、第１通風ホースの先端は仕切りよりも内側に配置され、第２通風ホースの先端は孔カバーの下面開口から下方に垂れ下がっていることがある。
【発明の効果】
【００１２】
本発明によれば、第１通風ホースと第２通風ホースとは束ねられて、建屋の孔に挿入されて先端部が外に延在するとともに、第１通風ホースの端部開口と第２通風ホースの端部開口との距離が７０ｍｍ以上あるので、通風ホース用の孔は１個形成すればよく、見栄えが良好となるとともに、エアーショートを極力防止することができる。
【００１３】
また、建屋の孔から外に延在している通風ホースの長さは、第１通風ホースと第２通風ホースの長さとで、７０ｍｍ以上の差があるので、第１通風ホースと第２通風ホースとが束ねられているにもかかわらず、第１通風ホースの端部開口と第２通風ホースの端部開口との距離を、容易に７０ｍｍ以上確保することができる。
【００１４】
そして、第１通風ホースおよび第２通風ホースの先端には各々、通風ホース本体の外径よりも大きな外径を有する虫除けカバーが設けられ、この虫除けカバー同士は、互いに重ならないように配置されているので、虫除けカバーを配置されている部分の幅が小さくなり、見栄えが良好となる。
【００１５】
さらに、給気側の第１通風ホースの建屋の孔から外に延在している長さの方が、排気側の第２通風ホースの建屋の孔から外に延在している長さよりも短いことがある。ところで、第１通風ホースと第２通風ホースとは束ねられているため、端部の開口が同じ向きになる傾向がある。また、排気側の通風ホースからの空気の流れは給気側の通風ホースへの空気の流れよりも指向性がある。したがって、排気側の通風ホースを短くすると、この通風ホースから排気された空気が給気側の通風ホースの開口に向かって流れる可能性が高くなる。一方、排気側の通風ホースを長くすると、この通風ホースから排気された空気は遠くに放出されることになる。その結果、排気側の第２通風ホースを給気側の第１通風ホースよりも長くすることにより、より効率的にエアーショートを防止することができる。
【００１６】
また、建屋の孔を覆うとともに下面開口を具備する孔カバーが設けられ、この孔カバー内には多数の孔を具備する仕切りが設けられ、第１通風ホースの先端は仕切りよりも内側に配置され、第２通風ホースの先端は孔カバーの下面開口から下方に垂れ下がっているので、虫、ゴミや雨水などが給気側の第１通風ホース内に侵入することを極力防止することができる。
【発明を実施するための最良の形態】
【００１７】
排気用の通風ホースと給気用の通風ホースとを束ねて同じ孔に挿入して外に出して給排気を行っても、室内から排気された汚れた空気がそのまま吸い込まれ室内に戻ってしまうエアーショートの状態を防止するという目的を、第１通風ホースの端部開口と第２通風ホースの端部開口との距離を７０ｍｍ以上にすることで実現した。
【実施例１】
【００１８】
次に、本発明における空気調和装置の第１実施例について、図１ないし図４を用いて説明する。図１は本発明における第１実施例の空気調和装置の室内機および室外機の斜視図である。図２は室内機の要部の一部切欠き斜視図である。図３は冷媒配管や通風ホースなどを建屋の孔から外に取り出した組み立て途中の状態の斜視図である。図４は建屋の孔から外に取り出された冷媒配管や通風ホースなどを化粧テープで固定した設置完了の状態の斜視図である。
【００１９】
まず始めに、空気調和装置の全体構成を説明する。
図１において、空気調和装置は、室内機１および、この室内機１と冷媒配管２で接続される室外機３を備えている。室内機１は屋内に設置され、一方、室外機３は屋外に設置されており、冷媒配管２は冷媒細管２ａ（図３参照）と冷媒太管２ｂ（図３参照）の２本で構成されるとともに、建屋に形成された孔４を通って、室内機１と室外機３とを接続している。また、室外機３は、図示はしていないが従来の空気調和装置と同様にして、冷媒を圧縮する圧縮機、室外機用熱交換器、冷媒の循環流路を切り換える冷媒流路切換弁および熱交換器用送風機などの機器を具備している。そして、室外機３の運転時には、冷凍サイクルの冷媒が室外機３から暖冷房のために冷媒配管２を介して室内機１に循環している。
【００２０】
室内機１は、従来の空気調和装置と同様にして、室内機用熱交換器６（図２参照）および、室内機用熱交換器６で熱交換された空気を室内に送風するための循環用送風機（図示しない）を具備している。また、室内機１の前面には、可動な前面パネル８が設けられ、この前面パネル８の後側に、空気吸込口（図示しない）が設けられている。室内機１の稼働中は、前面パネル８は前側に移動して、空気吸込口から室内の空気を室内機１内に取り込むことが可能となる。また、室内機１の停止時には、前面パネル８は後側すなわち空気吸込口側に移動して見栄えを良好にしている。室内機１の下側には、空気吹出口１２が設けられている。そして、室内機用熱交換器６の上側には、紫外線ランプ装置１４（図２参照）が配置されている。
【００２１】
そして、室内機１の循環用送風機が稼働すると、室内の空気が、空気吸込口から吸い込まれ、フィルタで濾過された後に、室内機用熱交換器６で熱交換され、空気吹出口１２から室内に吹き出している。この様にして、循環用送風機で室内の空気を循環させながら、この空気を室内機用熱交換器６で熱交換している。
【００２２】
図２において、室内機１内の端部には、従来の空気調和装置とは異なり、給排両用送風装置である第１送風装置２１および、排気用送風装置である第２送風装置２２が設けられている。各送風装置２１，２２には、可撓性の通風ホース２３，２４が接続され、この通風ホース２３，２４が冷媒配管２、ドレーンホース２６やユニット間ケーブル２７と共に、テープなどの結束具で束ねられて、建屋に形成された孔４を通って、屋外に導かれている。第１通風ホース２３の先端には、逆止弁を具備しない虫除けカバー３１が設けられ、また、第２通風ホース２４の先端には、逆止弁を具備する虫除けカバー３２が設けられている。虫除けカバー３２の逆止弁は、空気の流れの逆流を防止する。そして、虫除けカバー３１，３２の外径は、通風ホース２３，２４の本体の外径よりも大きく形成されている。また、図４に図示するように、通風ホース２３，２４などが挿入された後の孔４の隙間は、パテ３６で埋められるとともに、孔４から外に延在している通風ホース２３，２４、冷媒配管２、ドレーンホース２６やユニット間ケーブル２７は、化粧テープ３８でテーピングされ結束される。この際に、通風ホース２３，２４は、その先端開口が下向きになるように配置されるとともに、先端の虫除けカバー３１，３２は露出される。
【００２３】
この実施例の空気調和装置の換気の運転モードには、第１送風装置２１が給気運転する単独給気モード、第２送風装置２２が排気運転する単独排気モード、第１送風装置２１が給気運転するとともに第２送風装置２２が排気運転する給排気モード、並びに、第１送風装置２１および第２送風装置２２の両者が排気運転するダブル排気モードの４個のモードがある。
【００２４】
そして、給排気モードの際に、通風ホース２３，２４の端部が並んで配置されていると、前述のようにエアーショートの状態を引き起こすため、実施例では、第１通風ホース２３の孔４から外に延在している長さが、第２通風ホース２４の孔４から外に延在している長さよりもΔＬ（図４参照）だけ短くなっている。すなわち、第１通風ホース２３の端部開口（虫除けカバー３１の下面）と第２通風ホース２４の端部開口（虫除けカバー３２の下面）との距離が、ΔＬとなっている。
【００２５】
この距離ΔＬは、タバコの粉塵による試験等により、少なくとも７０ｍｍあれば、第２通風ホース２４から排気された空気が、第１通風ホース２３に殆ど吸い込まれることがないことを確認した。また、距離ΔＬを３００ｍｍ以上にすると、一方の通風ホースを他方の通風ホースよりも約３００ｍｍ以上長くする必要が生じるため、通風ホースや化粧テープ３８などの材料コストが上昇する。したがって、距離ΔＬは７０〜３００ｍｍの範囲にすることが好ましい。特に、約１００ｍｍにすることが好ましい。
【実施例２】
【００２６】
次に、本発明における空気調和装置の第２実施例について説明する。図５は建屋の孔をカバーする孔カバーの第１カバー体の説明図で、（ａ）が網部の一部を切り取る作業時の斜視図、（ｂ）が網部の一部を切除した後の要部斜視図である。図６は孔カバーの基部が建屋の孔に取り付けられた状態の斜視図である。図７は孔カバーの基部に第１カバー体を取り付ける作業時の斜視図である。図８は孔カバーが組み立てられた状態の斜視図である。図９は図８の概略の断面図である。なお、この第２実施例の説明において、前記第１実施例の構成要素に対応する構成要素には同一符号を付して、その詳細な説明は省略する。
【００２７】
この第２実施例では、建屋の孔４を覆う孔カバー４１を設けた点で、上述の第１実施例と異なる。孔カバー４１は、基部４１ａ、この基部４１ａの前面を覆う第１カバー体４１ｂおよび、この第１カバー体４１ｂの前面上部を覆う第２カバー体４１ｃを具備している。孔カバー４１の基部４１ａは、上端部が孔４に位置しているとともに、孔４から外に取り出された冷媒配管２の上部の背面側を覆っている。
【００２８】
孔カバー４１の第１カバー体４１ｂは、上部に網部４２が設けられている。この網部４２の一部は、図５に図示するように切り取られ、その切取り部に、図７に図示するように、第２通風ホース２４が挿入される。網部４２は、孔カバー４１の内部空間を仕切っており、多数の孔を具備する仕切りとして機能している。第１カバー体４１ｂは、基部４１ａの前面を覆う状態で取り付けられ、基部４１ａと第１カバー体４１ｂとの間の空間に、第１通風ホース２３の端部および冷媒配管２が配置される。この基部４１ａと第１カバー体４１ｂとの間の空間は、下面が開口しており、この開口から下方に冷媒配管２が延在する。また、第１通風ホース２３の端部の虫除けカバー３１の開口面は、網部４２に対向して配置される。
【００２９】
第２カバー体４１ｃは、第１カバー体４１ｂの上部の前面を覆う状態で取り付けられ、第１カバー体４１ｂと第２カバー体４１ｃとの間の空間に第２通風ホース２４が配置される。この第１カバー体４１ｂと第２カバー体４１ｃとの間の空間は、下面が開口しており、この開口から下方に第２通風ホース２４が垂れ下がる。
【００３０】
この様に、第２実施例では、給気側の第１通風ホース２３の端部が、孔カバー４１内、特に網部４２よりも内側に配置されているので、虫、ゴミや雨水などが第１通風ホース２３内に侵入することを極力防止することができる。
【００３１】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）送風装置２１，２２は、第１送風装置２１が少なくとも給気機能を具備し、かつ、第２送風装置２２が少なくとも排気機能を具備しているならば、その形式や構造などは適宜選択可能である。たとえば、第１送風装置２１を給気専用の送風装置にすることも可能であるし、また、第２送風装置２２を給排気可能な送風装置とすることも可能である。
【００３２】
（２）冷媒配管２と通風ホース２３，２４は、建屋の同じ孔に挿入されることも可能であるし、また、各々別の孔に挿入されることも可能である。ただし、通風ホース２３，２４は同じ孔に挿入される。
（３）実施例では、孔４から外側に延在する通風ホースの長さは、第１通風ホース２３の方が第２通風ホース２４よりも短いが、第２通風ホース２４の方を第１通風ホース２３よりも短くすることも可能である。ただし、排気側の通風ホースの方が、給気側の通風ホースよりも、空気の流れに指向性があるので、排気側の通風ホースを長くすることが好ましい。
【００３３】
（４）第１通風ホース２３の端部開口と、第２通風ホース２４の端部開口との距離ΔＬは、エアーショートを生じさせない値に設定されるが、７０ｍｍ以上あれば、エアーショートを防止することができる。そして、第１通風ホース２３と第２通風ホース２４とは結束して束ねられているため、孔４から外側に延在する通風ホースの長さは、第１通風ホース２３の長さと第２通風ホース２４の長さとの差が、端部開口間の距離ΔＬと略同じ値となるようにすることが好ましい。
（５）第１通風ホース２３および第２通風ホース２４は束ねられているが、結束箇所は、部分的でも、または、全体的でも可能である。
【産業上の利用可能性】
【００３４】
第１通風ホースと第２通風ホースとを束ねて、建屋の孔に挿入し先端部を外に延在させるとともに、第１通風ホースの端部開口と第２通風ホースの端部開口との距離を７０ｍｍ以上にすることにより、エアーショートの状態を防止しながら、給排気を行うことができる。そのため、空気調和とともに換気（特に給排気）を行う空気調和装置に適用することが最適である。
【図面の簡単な説明】
【００３５】
【図１】図１は本発明における第１実施例の空気調和装置の室内機および室外機の斜視図である。
【図２】図２は室内機の要部の一部切欠き斜視図である。
【図３】図３は冷媒配管や通風ホースなどを建屋の孔から外に取り出した組み立て途中の状態の斜視図である。
【図４】図４は建屋の孔から外に取り出された冷媒配管や通風ホースなどを化粧テープで固定した設置完了の状態の斜視図である。
【図５】図５は建屋の孔をカバーする孔カバーの第１カバー体の説明図で、（ａ）が網部の一部を切り取る作業時の斜視図、（ｂ）が網部の一部を切除した後の要部斜視図である。
【図６】図６は孔カバーの基部が建屋の孔に取り付けられた状態の斜視図である。
【図７】図７は孔カバーの基部に第１カバー体を取り付ける作業時の斜視図である。
【図８】図８は孔カバーが組み立てられた状態の斜視図である。
【図９】図９は図８の概略の断面図である。
【符号の説明】
【００３６】
１  室内機
２  冷媒配管
３  室外機
４  建屋の孔
２１  第１送風装置
２２  第２送風装置
２３  第１通風ホース
２４  第２通風ホース
３１，３２  虫除けカバー
４１  孔カバー
４２  網部（多数の孔を具備する仕切り）
【図１】
2006207871.tif 000003
【図２】
2006207871.tif 000004
【図３】
2006207871.tif 000005
【図４】
2006207871.tif 000006
【図５】
2006207871.tif 000007
【図６】
2006207871.tif 000008
【図７】
2006207871.tif 000009
【図８】
2006207871.tif 000010
【図９】
2006207871.tif 000011